(57)【要約】【課題】中間軸継手と中間軸受を一体化することで、これらを構成する部品点数の削減が図れる立軸ポンプを提供する。【解決手段】中間軸継手３によって接続された上部軸１と下部軸２によってポンプの羽根車１０とモータ或いは変速装置２０の間を連結する。中間軸継手３の外周面形状を円筒形状にするとともに、中間軸継手３の外周部分に中間軸受４を設けることで、中間軸受４の軸スリーブを中間軸継手３に兼用させる。これによって部品点数を削減できる上に、両機能を損なうことなく従来通りのポンプ運転が行える。【選択図】図２
2008202575.tif 000002
【特許請求の範囲】
【請求項１】
軸継手によって接続された複数本の軸によってポンプの羽根車と駆動手段の間を連結するとともに、前記接続した複数の軸の中間位置を中間軸受で軸支してなる立軸ポンプにおいて、
前記軸継手の外周面形状を円筒形状にするとともに、その軸継手の外周部分に前記中間軸受を設けたことを特徴とする立軸ポンプ。
【発明の詳細な説明】
【技術分野】
【０００１】
本発明は、立軸ポンプに関するものである。
【背景技術】
【０００２】
ポンプ床上にあるモータ（駆動手段）から、ポンプ床下に没水している羽根車までの間の縦方向の長さが長い立軸ポンプにおいては、複数の軸を軸継手で接続することでモータ動力を羽根車に伝達している。また前記接続した複数の軸の中間位置には、中間軸受を設けることでこれを軸支している（例えば特許文献１の図１参照）。
【０００３】
図３はこの種の従来の立軸ポンプの下部の部分を示す要部概略断面図である。同図に示すように、立軸ポンプは、ケーシング１３内の下部に羽根車１０を設置し、上部軸１と下部軸２によってその上部に設置した図示しないモータ（駆動手段）に接続し、モータを駆動することで羽根車１０を回転するように構成されている。
【０００４】
上部軸１と下部軸２とは、円筒型の中間軸継手３によって接続されている。即ち上部軸１と下部軸２の軸端部においては、動力は中間軸継手３内に取り付けたキー５により伝達され、軸方向の荷重は中間軸継手３の両端に取り付けたディスタンスピース６により伝達される。このディスタンスピース６は軸の回転によっても分離することのないように、円筒型の中間軸継手３にボルトによって固定されている。
【０００５】
また前記中間軸継手３の下側の下部軸２には、耐磨耗性に優れた軸スリーブ７が挿入され固定されており、この軸スリーブ７の周囲に中間軸受（水中軸受）４を取り付けることでこれを軸支している。なお同図において１１は下部軸２の下側部分を軸支する下部軸受である。
【０００６】
ところで中間軸継手３は、ポンプを組み立て易いように、中間軸受４の上部に設置されている。このように構成するのは、ポンプの組み立てに際し、下部軸受１１と中間軸受４の２軸受に支えられた下部軸２に、上部軸１を接続することとなるので、その接続が容易になるからである。もし中間軸受４の下部に中間軸継手３を位置させると、下部軸受１１のみに下部軸２が支えられている状態で上部軸１を接続することとなるため、下部軸受１１の上端が定まらず、その接続が容易でないためである。
【０００７】
しかしながら従来は、以上のように中間軸継手３と中間軸受４の位置が別々になっていたので、それぞれ独立してそれらを構成する部品が必要になり、部品点数の削減が図れないという問題点があった。
【特許文献１】特開２００３−２９３９７７号公報
【発明の開示】
【発明が解決しようとする課題】
【０００８】
本発明は上述の点に鑑みてなされたものでありその目的は、中間軸継手と中間軸受を一体化することで、これらを構成する部品点数の削減が図れる立軸ポンプを提供することにある。
【課題を解決するための手段】
【０００９】
本願請求項１に記載の発明は、軸継手によって接続された複数本の軸によってポンプの羽根車と駆動手段の間を連結するとともに、前記接続した複数の軸の中間位置を中間軸受で軸支してなる立軸ポンプにおいて、前記軸継手の外周面形状を円筒形状にするとともに、その軸継手の外周部分に前記中間軸受を設けたことを特徴とする立軸ポンプにある。これによって軸継手に中間軸受のジャーナル作用を行わせる。
【発明の効果】
【００１０】
請求項１に記載の発明によれば、中間軸継手の外周部分に中間軸受を設けたので、中間軸受の軸スリーブを中間軸継手に兼用させることができ、部品点数を削減できる上、両機能を損なうことなく従来どおりのポンプ運転が行える。
【発明を実施するための最良の形態】
【００１１】
以下、本発明の実施形態を図面を参照して詳細に説明する。
図１は本発明の１実施形態を適用した立軸ポンプ３０の全体概略断面図である。また図２は立軸ポンプ３０の下部の部分を拡大して示す要部概略断面図である。図１に示すように立軸ポンプ３０は、吐出曲胴１３１と吊下げ管１３３と案内翼胴１３５と吸込ベル１３７とを有してなるケーシング（ポンプ胴体）１３の内部に、上部軸１と下部軸２を中間軸継手３によって堅密に且つ同軸芯に固定してなるポンプ軸（主軸）１５を通し、ポンプ軸１５の下部に羽根車１０を固定し、一方ポンプ軸１５の上部にモータ或いは変速装置（駆動手段）２０を取り付けて構成されている。上部軸１と下部軸２とからなるポンプ軸１５はケーシング１３内の下部軸受１１と、中間軸受４と、ケーシング１３外部（吐出曲胴１３１の上部）の外部軸受２５とによって支えられている。そしてモータ或いは変速装置２０によりポンプ軸１５を介して羽根車１０に動力を伝えて回転駆動すると、吸込ベル１３７から水が吸い込まれて揚水され、その水はケーシング１３内を通って上部へ流れ、吐出曲胴１３１から図示しない吐出配管へと吐出される。
【００１２】
ここで図２に示すように、上部軸１と下部軸２とは、円筒型の中間軸継手３によって接続されている。即ち上部軸１と下部軸２の軸端部においては、動力は中間軸継手３内に取り付けたキー５により伝達され、軸方向の荷重は中間軸継手３の両端に取り付けたディスタンスピース６により伝達される。このディスタンスピース６は軸の回転によっても分離することのないように、円筒型の中間軸継手３にボルトによって固定されている。
【００１３】
そして本実施形態の場合、上部軸１と下部軸２とを接続する中間軸継手３の外周部分に中間軸受（水中軸受）４を取り付けている。即ち前述のように上部軸１と下部軸２とは、円筒型の中間軸継手３によって接続されているが、外周面形状が円筒型の中間軸継手３の外周部分に中間軸受４を設けることで、前記図３に示す軸スリーブ７を省略している。言いかえれば中間軸継手３の外周部に軸スリーブ７の機能を兼用させている。
【００１４】
中間軸継手３の材質と外周面の表面粗さは、前記図３に示す軸スリーブ７のそれと同じにしておくことが好ましい。即ち、中間軸受４の材質としてゴムや樹脂を用いた場合は、中間軸継手３の材質として例えばステンレスを用い、その外周面を滑らかにする。
【００１５】
このように構成した立軸ポンプ３０の場合、中間軸受４の位置において、上部軸１と下部軸２とを中間軸継手３により接続することになるが、この部分の構造は簡単であるため、従来より若干の組立時間の延長になる程度で済む。
【００１６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態では複数本の軸として上部軸１と下部軸２の２本の軸を示したが、３本以上の軸を複数の軸継手によって接続した場合でも同様に本発明を適用できる。その場合、中間軸受は複数の軸継手の何れかの軸継手の外周部分のみに設置しても良い。
【００１７】
また上記実施形態に用いた立軸ポンプ３０は、モータ或いは変速装置２０が設置される床と、ケーシング１３等からなるポンプ本体が設置される床とを分けた二床式としたが、本発明はモータ或いは変速装置２０をケーシング１３の上部に直接載置してなる一床式の立軸ポンプにも同様に適用できる。また上記実施形態では扱う液体を水として説明したが、他の各種液体にも同様に適用することができることはいうまでもない。
【図面の簡単な説明】
【００１８】
【図１】本発明の１実施形態を適用した立軸ポンプ３０の全体概略断面図である。
【図２】立軸ポンプ３０の下部の部分を拡大して示す要部概略断面図である。
【図３】従来の立軸ポンプの下部の部分を示す要部概略断面図である。
【符号の説明】
【００１９】
３０  立軸ポンプ
１  上部軸（軸）
２  下部軸（軸）
３  中間軸継手（軸継手）
４  中間軸受
５  キー
６  ディスタンスピース
１０  羽根車
１１  下部軸受
１３  ケーシング
１５  ポンプ軸
２０  モータ或いは変速装置（駆動手段）
２５  外部軸受
【図１】
2008202575.tif 000003
【図２】
2008202575.tif 000004
【図３】
2008202575.tif 000005